(57)【要約】      少なくとも一つの閉鎖可能な供給開口部を備えた、流動性製品用の製品容器を使用して、流動性の製品、特に液体の洗剤あるいはケア製品を収容しかつ供給するための装置により、付加的部材を介さずに直接使用されており、かつ処理されるべき物体の近くで保管することができるという解決手段が提供される。このことは、製品容器（２）が窪地状の収容容器（８）と取外し可能に接続しており、この収容容器内には多数の皿状もしくは布状の吸収性部材（９）が重なり合って収容されており、この場合、製品容器（２）が収容容器に向かい合った外側面において、吸収性部材（９）を取外し可能に固定するための固定手段（７）を備えていることにより達せられる。
2007502752.tif 000002
【特許請求の範囲】
【請求項１】
少なくとも一つの閉鎖可能な供給開口部（３）を備えた、流動性製品用の製品容器（２）を使用して、流動性の製品、特に液体の洗剤あるいはケア製品を収容しかつ供給するための装置において、
製品容器（２）が窪地状の収容容器（８）と取外し可能に接続しており、この収容容器内には多数の皿状もしくは布状の吸収性部材（９）が重なり合って収容されており、この場合、製品容器（２）が収容容器に向かい合った外側面において、吸収性部材（９）を取外し可能に固定するための固定手段（７）を備えていることを特徴とする装置。
【請求項２】
固定手段（７）が製品容器（７）の下側に設けられていることを特徴とする請求項１記載の装置。
【請求項３】
固定手段（７）がベルクロファスナの様式で形成されていることを特徴とする請求項１または２記載の装置。
【請求項４】
製品容器（２）が収容容器（８）内に挿入可能であるように構成されていることを特徴とする請求項１〜３のいずれか一つに記載の装置。
【請求項５】
製品容器（２）と収容容器（８）には、相応する切欠き手段が設けられていることを特徴とする請求項４記載の装置。
【請求項６】
製品容器（２）が下側面で底板（５）と取外し可能に接続しており、その底板において下側面に固定手段（７）が設けられていることを特徴とする請求項１〜５のいずれか一つに記載の装置。
【発明の詳細な説明】
【技術分野】
【０００１】
本発明は、少なくとも一つの閉鎖可能な供給開口部を備えた、流動性製品用の製品容器を使用して、流動性の製品、特に液体の洗剤あるいはケア製品を収容しかつ供給するための装置に関する。
【背景技術】
【０００２】
この様式の装置は様々な形で知られている。このような装置は例えば液体洗浄製品を収容しかつ供給するのに使用されている。装置を使用する際、通常供給開口部を開口した後、製品容器に圧力をかけて、洗浄されるべき面に直接かあるいは雑巾またはクリーニングクロスに製品を供給する。この様式の取り扱いは普通のことであり、かつさらに通常の家庭の掃除の範囲内で手軽に行われている。しかしながら、かなりの機会において、合間に例えばテーブル面あるいはその類の物を掃除する必要がある。このような場合、上記のようにして事を始めることは面倒である。というのも、ユーザーには製品容器と同様に雑巾、クロス、スポンジ等も必要がなく、これらの品物は洗浄されるべき面のすぐ近くには通常保管されない。
【発明の開示】
【発明が解決しようとする課題】
【０００３】
本発明の課題は、付加的部材を介さずに直接使用されており、かつ処理されるべき物体の近くで保管することができる装置を提供することである。
【課題を解決するための手段】
【０００４】
この課題は、冒頭で説明した様式の装置の場合、本発明によれば、製品容器が窪地状の収容容器と取外し可能に接続しており、この収容容器内には多数の皿状もしくは布状の吸収性部材が重なり合って収容されており、この場合、製品容器が収容容器に向かい合った外側において、吸収性部材を取外し可能に固定するための固定手段を備えていることにより解決される。
【０００５】
従ってこの装置は本来の製品容器に対して付加的に皿状もしくは布状の吸収性部材のためのタンクを備えている。吸収性部材は装置それ自体において直ちに使用可能である。この場合、窪地状の収容容器の最上位置に設けられた吸収性部材は、向かい合った製品容器の外側に付着する。洗浄作業時に  まず通常の方法で、例えば製品容器に圧力をかけることにより、洗浄されるべき面に製品をかけ、続いて製品容器を収容容器から取外し、収容容器に向かい合った製品容器の外側に吸収性部材が付着し、この吸収性部材により洗剤を洗浄されるべき面に供給することができる。汚れの程度に応じて、吸収性部材は製品容器の外側に付着したままであるか、あるいはユーザーにより除去され、その後製品容器を収容容器内に再度挿入する。次に使用する際、すなわち製品容器を収容容器から取り出した後，すでに使用された吸収性部材は製品容器にそのままの状態で付着しており、あるいは吸収性部材が前回の洗浄作業後除去された場合には、次に設けられた吸収性部材が自動的に付着する。なぜなら、吸収性部材は製品容器を収容容器内に挿入する際、製品容器の外側における固定手段と接触するからである。
【０００６】
好ましい実施形態において、固定手段は製品容器の下側に設けられている。次いで製品容器は下側でもって窪地状の収容容器内に収容され、同時に収容容器は装置の立脚部として使用される。
【０００７】
固定手段はベルクロファスナの様式で形成されているのが好ましく、吸収性部材は例えばフリースでできていてもよい。固定手段はもちろん他の方法で、例えば適切な接着被膜により形成されてもよい。吸収性部材が十分安定しているのであれば、固定手段はスナップファスナとしても形成されていてもよい。これは例えば吸収性部材がフェルトでできている場合である。そうすれば装置は例えば家具の手入れにも使用できる
装置を非使用時に容易に取扱えるように、製品容器は収容容器内に挿入可能であるのが好ましい。
【０００８】
この場合、製品容器と収容容器には、相応する噛合わせ手段が設けられているのが特に好ましい。この際噛合わせ手段は様々な切欠き位置が設けられているように、言い換えれば製品容器は、多かれ少なかれ吸収性部材を備えた収容容器の充填高さに応じて、収容容器内に様々な深さに挿入できるように形成されている。代替え案として、さらにただ一つの切欠き位置だけが設けられており、この際収容容器の底面が、吸収部材の最上部の位置が常に収容容器内のこのような高さレベルに確実に設けられており、製品容器あるいは製品容器に面しており固定手段を備えた外側が最上部の吸収部材と確実に接触するように、例えばバネで負荷がかかる状態で摺動可能に形成されているのは得策である。
【０００９】
他の好ましい構造形態は、製品容器が下側面で底板と取外し可能に接続しており、その下側面に固定手段が設けられていることを特徴とする。この形態にあって、製品容器は液体製品をもはや一切収容していないと容易に交換できる。しかしながら原理的に製品容器がさらに補給用開口部を備えていることは自明である。
【発明を実施するための最良の形態】
【００１０】
本発明を、実施例により以下に詳しく説明する。
【実施例】
【００１１】
本発明による流動性の製品を収容兼供給するための装置を全体として１で示してある。装置１はまず製品容器２を備え、この製品容器は上側において、少なくとも一つの供給開口部３と閉鎖蓋４とを備えている。側方の壁面は、供給開口部３を介した製品の供給を容易にするために、簡単に作動できるように構成されているのが好ましい。下側においては、製品容器２に固定手段が設けられており、この固定手段は実施例の場合二つの部分から形成されている。図示した実施例において、この固定手段は底板５を備え、この底板は下側で先細になっている製品容器の突出部６に噛合うように差し込まれてもよい。底板５はベルクロファスナーストリップ７あるいはその類の物を固定するために使用される。ベルクロファスナーストリップは例えば底板５に貼付けられている。
【００１２】
さらに装置１は窪地状の収容容器８を備え、この収容容器内には多数の皿状もしくは布状の吸収性部材９が次から次へと積み重ねられた状態で設けられている。この吸収性部材は例えばフリースクロスとして形成されている。ベルクロファスナーストリップ７は、吸収性部材９がベルクロファスナーストリップに付着するように構成されている。
【００１３】
図２による装置の閉じた状態において、製品容器２は窪地状の収容容器８内に挿入されている。この場合、装置１が図２に示した状態で単独部材として扱われ、例えばテーブル面に置くことができるように、詳細には図示していない噛合い手段が、両容器の間に設けられているのが好ましい。
【００１４】
テーブル面あるいはそのようなものを洗浄するために、キャップ４を開け、製品容器２の壁、好ましくは側壁を押圧することにより、あるいは製品容器２における図示していない配量装置を用いて、供給開口部３から製品を供給する。その後、キャップ４を再度閉じ、製品容器２を収容容器８から引抜くのが好ましい。この際、最上部の吸収性部材９は製品容器２の下側で固定手段すなわちベルクロファスナーストリップ７に付着する。製品容器２を、下側でその表面へ付着している吸収性部材９により、供給される洗剤にわたって置き、洗剤をテーブル面あるいはそのようなものの上で洗浄するために供給する。
【００１５】
引き続き汚れの程度に応じて、製品容器２はそこに固定された吸収性部材９と共に、収容容器８内へ再度収容されるか、あるいは下側に付着している吸収性部材９がひどく汚れている場合、吸収性部材は製品容器２の下側からユーザーにより取去られかつ廃棄され、その後で製品容器２は収容容器８内へ再度収容されるかのどちらかである。この場合、収容容器８内の最上部の吸収性部材９は、製品容器２の下側に自動的に付着し、従って製品容器２が次に使用される際収容容器８から取り出された後、皿状もしくは布状の吸収性部材９は製品容器２の下側で再度使用可能になる。
【００１６】
本発明が図示した実施形態に限定されるものではないことは当然である。他の発展形態は基本構想から離れることなく可能である。従って底板５は必ずしも必要ではない。さらにベルクロファスナーストリップ７あるいは他の適切な固定手段は製品容器２の下側に直接固定されていてもよい。しかしながら、図示した底板５を備えた変形により付加的な長所が与えられる。この長所とは、製品容器２が極めて廉価に製造でき、かつ投棄可能でしかも交換可能な品物として形成されていること、言い換えれば製品容器は完全に空であると、相応して形成された満杯の製品容器２と交換されることである。付加的あるいは代替え的案として、製品容器２が図示していない補給用開口部を備えているのは当然である。さらに吸収性部材は９フェルト板として形成されていてもよく、このフェルト板は切欠き部により、底板５において固定手段として形成されたスナップ部材に噛合うように係合することができる。そこで装置は例えば家具の手入れにも使用できる。流動性の良い化粧品、例えばメイクアップ用の装置としても使用可能である。
【図面の簡単な説明】
【００１７】
【図１】本発明による装置の分解図である。
【図２】本発明による装置の組立てられた位置での斜視図である。
【符号の説明】
【００１８】
２      製品容器
３      供給開口部
５      底板
７      固定手段
８      収容容器
９      吸収性部材
【図１】
2007502752.tif 000003
【図２】
2007502752.tif 000004
【国際調査報告】
2007502752.tif 000005
2007502752.tif 000006
2007502752.tif 000007
2007502752.tif 000008
2007502752.tif 000009
2007502752.tif 000010
2007502752.tif 000011
2007502752.tif 000012
2007502752.tif 000013
2007502752.tif 000014